(57)【要約】【課題】演出出力装置などの構造物を収容可能な弾球遊技機用の収容ケースの周囲に様々な構成が配置された場合であっても、収容ケースを組み付け時に取り付ける作業や、交換時に取り外したり取り付けたりする作業を容易とすること。【解決手段】裏ベース２１の背面部に着脱可能に取り付けられ、演出出力装置などの構造物を収容可能な収容ケース２２において、把持可能な把持部としてのレバー部材２２ｂが設けられている。収容ケース２２を裏ベース２１に対して着脱させるときにはレバー部材２２ｂを回動させることで収容ケース２２から突出して把持可能な状態とすることができる一方、収容ケース２２を裏ベース２１に対して着脱させないときにはレバー部材２２ｂを凹部２２ａ内部に収容させることで収容ケース２２から突出せずに把持不可能な状態とする。【選択図】図３
2015100465.tif 000002
【特許請求の範囲】
【請求項１】
弾球遊技機が備える裏ベースの背面部に着脱可能に取り付けられ、構造物を収容可能な弾球遊技機用の収容ケースにおいて、
把持可能な把持部が設けられていること
を特徴とする弾球遊技機用の収容ケース。
【請求項２】
請求項１に記載の弾球遊技機用の収容ケースにおいて、
前記把持部は、前記収容ケースから突出して把持可能な状態である把持可能状態と前記収容ケースから突出せずに把持不可能な状態である把持不可状態との間でその姿勢が変更可能に構成されていること
を特徴とする弾球遊技機用の収容ケース。
【請求項３】
請求項２に記載の弾球遊技機用の収容ケースにおいて、
前記把持部が前記把持不可状態である場合に前記収容ケースを前記裏ベースに対して着脱不可能な状態とし、前記把持部が前記把持可能状態である場合に前記収容ケースを前記裏ベースに対して着脱可能な状態とする切替部を備えること
を特徴とする弾球遊技機用の収容ケース。
【請求項４】
裏ベースと、
前記裏ベースの背面部に着脱可能に取り付けられ、構造物を収容可能な請求項１〜３の何れか１項に記載の弾球遊技機用の収容ケースと、
を備えることを特徴とする弾球遊技機。
【発明の詳細な説明】
【技術分野】
【０００１】
本発明は、弾球遊技機の技術分野に属する。
【背景技術】
【０００２】
特許文献１には、演出出力機器を内部に収容して遊技機に取り付け可能に形成された収容ケースについて記載されている。
【先行技術文献】
【特許文献】
【０００３】
【特許文献１】特開２００４−２１５８３８号公報（第５頁、図３）
【発明の概要】
【発明が解決しようとする課題】
【０００４】
しかし、特許文献１に記載の収容ケースにおいては、この収容ケースの周囲に様々な構成が配置された場合、収容ケースを組み付け時に取り付ける作業や、交換時に取り外したり取り付けたりする作業が困難であるという問題があった。
【０００５】
本発明は、このような課題に鑑みなされたものであり、その目的とするところは、演出出力装置などの構造物を収容可能な弾球遊技機用の収容ケースの周囲に様々な構成が配置された場合であっても、収容ケースを組み付け時に取り付ける作業や、交換時に取り外したり取り付けたりする作業を容易とすることにある。
【課題を解決するための手段】
【０００６】
上記課題を解決するためになされた請求項１に係る弾球遊技機用の収容ケースは、弾球遊技機が備える裏ベースの背面部に着脱可能に取り付けられ、構造物を収容可能な弾球遊技機用の収容ケースにおいて、把持可能な把持部が設けられていることを特徴とする。
【０００７】
このように構成された本発明の弾球遊技機用の収容ケースによれば、把持可能な把持部が設けられているので、収容ケースの周囲に様々な構成が配置された場合であっても、収容ケースを組み付け時に取り付ける作業や、交換時に取り外したり取り付けたりする作業を容易とすることができる。
【０００８】
また、請求項２に係る弾球遊技機用の収容ケースは、請求項１に記載の弾球遊技機用の収容ケースにおいて、前記把持部は、前記収容ケースから突出して把持可能な状態である把持可能状態と前記収容ケースから突出せずに把持不可能な状態である把持不可状態との間でその姿勢が変更可能に構成されていることを特徴とする。
【０００９】
このように構成された本発明の弾球遊技機用の収容ケースによれば、収容ケースを裏ベースに対して着脱させるときには把持部を収容ケースから突出して把持可能な状態（把持可能状態）とすることができる一方、収容ケースを裏ベースに対して着脱させないときには把持部を収容ケースから突出せずに把持不可能な状態（把持不可状態）とすることで、把持部を他の作業の邪魔にはならないようにすることができる。
【００１０】
また、請求項３に係る弾球遊技機用の収容ケースは、請求項２に記載の弾球遊技機用の収容ケースにおいて、前記把持部が前記把持不可状態である場合に前記収容ケースを前記裏ベースに対して着脱不可能な状態とし、前記把持部が前記把持可能状態である場合に前記収容ケースを前記裏ベースに対して着脱可能な状態とする切替部を備えることを特徴とする。
【００１１】
このように構成された本発明の弾球遊技機用の収容ケースによれば、収容ケースが裏ベースから不意に脱落するのを防ぐことができる。
また、請求項４に係る弾球遊技機は、裏ベースと、前記裏ベースの背面部に着脱可能に取り付けられ、構造物を収容可能な請求項１〜３の何れか１項に記載の弾球遊技機用の収容ケースと、を備えることを特徴とする。
【図面の簡単な説明】
【００１２】
【図１】実施形態のパチンコ機１の正面図である。
【図２】実施形態の収容ケース２２を示す後方斜視図である。
【図３】実施形態の収容ケース２２を示す後方斜視図である。
【図４】実施形態の収容ケース２２を示す概略構成図である。
【図５】実施形態の収容ケース２２を示す概略構成図である。
【発明を実施するための形態】
【００１３】
以下に本発明の実施形態を図面とともに説明する。なお、本発明は下記実施形態に限定されるものではなく、様々な態様にて実施することが可能である。
［１．パチンコ機１の構成の説明］
図１に示す弾球遊技機の一種であるパチンコ機１は、遊技盤９と遊技盤９の前方に配されたガラス板７ａ（透明板）との間に形成される遊技領域に遊技球を転動させることで遊技を行う遊技機である。
【００１４】
このパチンコ機１の前面部には、盤面窓枠２が配されている。
盤面窓枠２は、外枠３に保持された中枠４に取り付けられている。より具体的には、盤面窓枠２はヒンジ５ａ，５ｂにて中枠４に軸支され、扉状に開閉できる。また、盤面窓枠２には、上皿２ａ、下皿２ｂ、発射ハンドル２ｃが取り付けられている。
【００１５】
また、盤面窓枠２には窓７が設けられ、その周辺に電飾８が配されている。また、盤面窓枠２には、窓７を閉塞するためのガラス板７ａが窓７の背後に装着される。そして、盤面窓枠２の背後の窓７に臨んだ位置には、中枠４に保持された遊技盤９が配されている。
【００１６】
遊技盤９は、透明な合成樹脂（本実施例ではポリカーボネート）製である。この遊技盤９には、ガイドレール１０、１１、複合入賞装置１２、ゲート１３、大入賞口１４、普通入賞口１５、庇部材１６、ステージ１７等が取り付けられ、遊技釘１８や風車１９が打ち付けられている。
【００１７】
複合入賞装置１２は、可変入賞装置１２ａおよび始動入賞口１２ｂを備え、可変入賞装置１２ａまたは始動入賞口１２ｂに入賞した場合には大当たり抽選が行われ、これに応じて遊技盤９の背後に配された表示装置（図示省略）にて図柄の変動表示がなされる。大当たり抽選が当たりであれば、図柄の変動表示に続いて表示装置にて大当たり図柄の確定表示が行われる。その大当たり図柄の確定表示がなされると大当たり遊技の開始となって、大入賞口１４が開放される。
【００１８】
また、可変入賞装置１２ａが閉鎖状態（図示の状態）にあるときには、可変入賞装置１２ａの上方にある始動入賞口１２ｂによって可変入賞装置１２ａへの入賞を阻まれる（可変入賞装置１２ａへは、開放時しか入賞できない）。この可変入賞装置１２ａは、その左右に配されているゲート１３に遊技球が進入したことに起因する抽選で当たりになると開
放される。
【００１９】
また、庇部材１６とステージ１７とに挟まれた領域（主表示領域２０）には、遊技釘１８が打ち付けられておらず、他の装置類も配されていない。この主表示領域２０は、遊技盤９の背後に配された表示装置による図柄の変動表示や、背景画像やキャラクタ等の画像の表示を良好に視認させるための領域である。
【００２０】
また、遊技盤９の背面部には、役物や表示装置などの構造物を収容または保持する裏ベース２１がビスなどを用いて取り付けられている。なお、遊技盤９の背面部に取り付けられる裏ベース２１を遊技盤９の表側からは視認することはできないため、図２では、裏ベース２１の一部を実線で図示している。
【００２１】
また、図２に示すように、裏ベース２１の背面部には、演出出力装置などの構造物（図示省略）を収容可能な弾球遊技機用の収容ケース（以下収容ケース）２２がビスなどを用いて着脱可能に取り付けられている。なお、裏ベース２１の背面部には、収容ケース２２以外にも様々な構成が取り付けられるが、図２および図３では、このような構成を一点鎖線で模式的に図示している。
【００２２】
収容ケース２２は合成樹脂製であり、略直方体形状の箱体に形成されており、その内部に演出出力装置などの構造物（図示省略）を収容可能となっている。また、収容ケース２２には、貫通穴や開口、切り欠き、突起などが適宜形成されている。
【００２３】
また、収容ケース２２の背面部には、凹部２２ａが形成されており、この凹部２２ａの内部には、把持部としての略コの字形状のレバー部材２２ｂが配されている。このレバー部材２２ｂは、両翼の先端同士を貫通する上下方向の中心軸を中心として凹部２２ａ内部で回動可能に取り付けられており、回動することにより、収容ケース２２の背面から突出して把持可能な状態（把持可能状態、図３参照）と凹部２２ａ内部に収容されて収容ケース２２の背面から突出せずに把持不可能な状態（把持不可状態、図２参照）との間でその姿勢が変更可能に構成されている。
【００２４】
また、収容ケース２２には、切替部としての棒状のシャフト２２ｃが設けられている。このシャフト２２ｃは、一方の端部がレバー部材２２ｂに連結されており、レバー部材２２ｂが把持不可状態である場合に他方の端部が収容ケース２２の側面から突出し、レバー部材２２ｂが把持可能状態である場合に他方の端部が収容ケース２２の側面から突出せずに収容ケース２２内部に収容されるようになっている。なお、収容ケース２２が裏ベース２１に取り付けられている状態では、収容ケース２２の側面から突出したシャフト２２ｃの他方の端部が、対向する裏ベース２１の係合孔（図示省略）に挿入されて互いに係合し、収容ケース２２が裏ベース２１に対して着脱不可能な状態（施錠状態）となる（図４参照）。一方、また、シャフト２２ｃの他方の端部が収容ケース２２の側面から突出せずに収容ケース２２内部に収容されると、上述のようなシャフト２２ｃと裏ベース２１との係合が解除されて、収容ケース２２が裏ベース２１に対して着脱可能な状態（解錠状態）となる（図５参照）。
【００２５】
［２．実施形態の効果］
（１）このように本実施形態のパチンコ機１によれば、裏ベース２１の背面部に着脱可能に取り付けられ、演出出力装置などの構造物を収容可能な収容ケース２２において、把持可能な把持部としてのレバー部材２２ｂが設けられているので、収容ケース２２の周囲に様々な構成が配置された場合であっても（図３参照）、収容ケース２２を組み付け時に取り付ける作業や、交換時に取り外したり取り付けたりする作業を容易とすることができる。
【００２６】
（２）また、本実施形態のパチンコ機１によれば、収容ケース２２を裏ベース２１に対して着脱させるときにはレバー部材２２ｂを回動させることで収容ケース２２から突出して把持可能な状態とすることができる一方、収容ケース２２を裏ベース２１に対して着脱させないときにはレバー部材２２ｂを凹部２２ａ内部に収容させることで収容ケース２２から突出せずに把持不可能な状態とすることで、レバー部材２２ｂを他の作業の邪魔にはならないようにすることができる。
【００２７】
（３）また、本実施形態のパチンコ機１によれば、収容ケース２２が裏ベース２１に取り付けられている状態では、収容ケース２２の側面から突出したシャフト２２ｃの他方の端部が、対向する裏ベース２１の係合孔に挿入されて互いに係合し、収容ケース２２が裏ベース２１に対して着脱不可能な状態（施錠状態）となるので、収容ケース２２が裏ベース２１から不意に脱落するのを防ぐことができる。
【符号の説明】
【００２８】
１…パチンコ機、２…盤面窓枠、２ａ…上皿、２ｂ…下皿、２ｃ…発射ハンドル、３…外枠、４…中枠、５ａ…ヒンジ、７…窓、７ａ…ガラス板、８…電飾、９…遊技盤、１０…ガイドレール、１２…複合入賞装置、１２ａ…可変入賞装置、１２ｂ…始動入賞口、１３…ゲート、１４…大入賞口、１５…普通入賞口、１６…庇部材、１７…ステージ、１８…遊技釘、１９…風車、２０…主表示領域、２１…裏ベース、２２…収容ケース、２２ａ…凹部、２２ｂ…レバー部材、２２ｃ…シャフト。
【図１】
2015100465.tif 000003
【図２】
2015100465.tif 000004
【図３】
2015100465.tif 000005
【図４】
2015100465.tif 000006
【図５】
2015100465.tif 000007